(57)【要約】  スマートフォン（１）は、自機を把持している手から光電脈波信号を取得する光電脈波センシング部（４１，４２）と、親指による操作を受け付ける複数の操作スイッチ（３１）が表示されるタッチスクリーン（２１）と、表示される複数の操作スイッチ（３１）の配置を変更するスイッチ配置変更部（１１１）とを備える。スイッチ配置変更部（１１１）は、光電脈波センシング部（４１，４２）により光電脈波信号が取得される際に、操作を行っている右手（５０１）の親指の手根中手関節（５００）を中心とし、該手根中手関節（５００）から親指指先までを半径とする仮想円の円弧（５１０）に沿って複数の操作スイッチ（３１）が配置されるように、タッチスクリーン（２１）に表示される操作スイッチ３１の配置を変更する。
2012176371.tif 000002
【特許請求の範囲】
【請求項１】
手で把持して、親指で操作を行う携帯機器であって、
自機を把持する手から生体信号を取得する生体センサと、
親指による操作を受け付ける操作スイッチと、を備え、
前記操作スイッチは、操作を行う手の親指の手根中手関節を中心とし、該手根中手関節から親指指先までを半径とする仮想円の円弧に沿って配置されていることを特徴とする携帯機器。
【請求項２】
手で把持して、指で操作を行う携帯機器であって、
自機を把持する手から生体信号を取得する生体センサと、
指による操作を受け付ける操作スイッチと、を備え、
前記操作スイッチは、前記生体センサにより生体信号が取得される際に、前記生体信号の取得が行われている手の指による操作を受付けないことを特徴とする携帯機器。
【請求項３】
前記操作スイッチは、操作を行う手の親指の手根中手関節を中心とし、該手根中手関節から親指指先までを半径とする仮想円の円弧に沿って配置されていることを特徴とする請求項２に記載の携帯機器。
【請求項４】
手で把持して、指で操作を行う携帯機器であって、
自機を把持する左右それぞれの手から生体信号を取得する複数の生体センサと、
前記複数の生体センサそれぞれによって取得された生体信号を選択して出力する生体信号選択手段と、
左右それぞれの手の指による操作を受け付ける操作スイッチと、
左右それぞれの手によるスイッチ操作の操作頻度を求める操作頻度取得手段と、を備え、
前記生体信号選択手段は、左右それぞれの手のうち、前記操作頻度取得手段により求められた操作頻度が低い方の手から取得された生体信号を優先的に選択して出力することを特徴とする携帯機器。
【請求項５】
手で把持して、指で操作を行う携帯機器であって、
自機を把持する手から生体信号を取得する生体センサと、
指による操作を受け付ける、配置を変更可能な操作スイッチと、
前記操作スイッチの配置を変更するスイッチ配置変更手段と、を備え、
前記スイッチ配置変更手段は、前記生体センサにより生体信号が取得される際に、前記生体信号の取得が行われている手の指からの操作を受付ける操作スイッチを配置しないように、前記操作スイッチの配置を変更することを特徴とする携帯機器。
【請求項６】
前記スイッチ配置変更手段は、前記生体センサにより生体信号が取得される際に、前記生体信号の取得が行われていない手の親指の手根中手関節を中心とし、該手根中手関節から親指指先までを半径とする仮想円の円弧に沿って前記操作スイッチを配置することを特徴とする請求項５に記載の携帯機器。
【請求項７】
手で把持して、親指で操作を行う携帯機器であって、
自機を把持する手から生体信号を取得する生体センサと、
親指による操作を受け付ける、配置を変更可能な操作スイッチと、
前記操作スイッチの配置を変更するスイッチ配置変更手段と、を備え、
前記スイッチ配置変更手段は、前記生体センサにより生体信号が取得される際に、操作を行う手の親指の手根中手関節を中心とし、該手根中手関節から親指指先までを半径とする仮想円の円弧に沿って前記操作スイッチが配置されるように、前記操作スイッチの配置を変更することを特徴とする携帯機器。
【請求項８】
手で把持して、親指で操作を行う携帯機器であって、
自機を把持する左右それぞれの手から生体信号を取得する複数の生体センサと、
前記複数の生体センサそれぞれによって取得された生体信号を選択して出力する生体信号選択手段と、
左右それぞれの手の親指による操作を受け付ける、配置を変更可能な複数の操作スイッチと、
左右それぞれの手について、前記複数の操作スイッチの配置を変更するスイッチ配置変更手段と、
左右それぞれの手によるスイッチ操作の操作頻度を求める操作頻度取得手段と、を備え、
前記スイッチ配置変更手段は、前記生体センサにより生体信号が取得される際に、左右それぞれの手について、手の親指の手根中手関節を中心とし、該手根中手関節から親指指先までを半径とする仮想円の円弧に沿って前記操作スイッチが配置されるように、前記操作スイッチの配置を変更し、
前記生体信号選択手段は、左右それぞれの手のうち、前記操作頻度取得手段により求められた操作頻度が低い方の手から取得された生体信号を優先的に選択して出力することを特徴とする携帯機器。
【請求項９】
手で把持して、親指で操作を行う携帯機器であって、
自機を把持している手を判定する把持手判定手段と、
自機を把持する手から生体信号を取得する生体センサと、
親指による操作を受け付ける、配置を変更可能な操作スイッチと、
前記操作スイッチの配置を変更するスイッチ配置変更手段と、を備え、
前記スイッチ配置変更手段は、前記生体センサにより生体信号が取得される際に、前記把持手判定手段により自機が片手で把持されていると判定された場合、自機を把持している手の親指の手根中手関節を中心とし、該手根中手関節から親指指先までを半径とする仮想円の円弧に沿って前記操作スイッチが配置されるように、前記操作スイッチの配置を変更することを特徴とする携帯機器。
【請求項１０】
親指がタッチされた領域の位置情報を取得する位置情報取得手段と、
前記位置情報取得手段により取得された前記位置情報に基づいて、前記操作スイッチの目標配置領域を設定する配置領域設定手段と、を備え、
前記スイッチ配置変更手段は、前記操作スイッチと、前記配置領域設定手段により設定された前記目標配置領域との重なる面積がより大きくなるように、前記操作スイッチを配置することを特徴とする請求項７〜９のいずれか１項に記載の携帯機器。
【発明の詳細な説明】
【技術分野】
【０００１】
本発明は、携帯機器に関し、特に、生体信号を取得する生体センサを備える携帯機器に関する。
【背景技術】
【０００２】
近年、健康の維持や増進に対する人々の関心が高まっている。そこでは、健康管理のために、日常生活の中で、人々がより手軽に脈拍や心電などの生体情報を得られることが望まれている。ここで、特許文献１では、ユーザによる通常の機器使用の過程で生体情報を検出できる携帯電話機が開示されている。また、特許文献２では、人の体温等の生態情報を測定可能な携帯電話機が開示されている。【０００３】
特許文献１記載の携帯電話機では、携帯電話機の外周両面の側面部、コーナ部、又は操作入力ボタンの操作面にＧＳＲ（Ｇａｌｖａｎｉｃ  Ｓｋｉｎ  Ｒｅｆｌｅｘ）検出センサが設けられている。そのため、この携帯電話機によれば、ユーザが通話やメール入力等の操作を普通に行うことにより、すなわち明示的な取得動作を行うことなく、生体情報を取得することができる。【０００４】
一方、特許文献２記載の携帯電話機では、本体部の筐体の右側側面に、一対の電極を有し人体の接触状態を検知する接触検知部と、人体の生体情報としての体温を測定する温度検知部とが設けられている。この携帯電話機によれば、接触検知部を構成する一対の電極間を流れる電流に基づいて、ユーザが温度検知部に接触していることが検知されたときに、該温度検知部によって検出されたユーザの体温情報が取得される。そのため、この携帯電話機によれば、例えば測定開始スイッチをオンするなどの特別な操作を行うことなく、ユーザが接触検知部に触れているときに、自動的に体温情報を取得することができる。
【先行技術文献】
【特許文献】
【０００５】
【特許文献１】国際公開第２００５／０４８８３２号
【特許文献２】特許第４１１９８６３号公報
【発明の概要】
【発明が解決しようとする課題】
【０００６】
上述したように、特許文献１記載の携帯電話機及び特許文献２記載の携帯電話機によれば、ユーザが携帯電話機を把持し、電話番号入力／選択や電子メール入力等の操作を普通に行っているときに、ユーザの生体情報を取得することができる。しかしながら、携帯電話機などの携帯機器を操作するときに手が接触する箇所に生体センサを設けていたとしても、実際に操作するときには、操作に使用する指以外の部位も該指に連動して動いてしまい、生体センサの出力にノイズがのってしまうという問題がある。【０００７】
特に、被測定部位が操作する手にある場合、センサ出力にのるノイズが生体信号よりも大きくなり、測定不能になってしまうおそれがある。また、脈拍や心拍などを計測する際には、リアルタイムでのデータ取得や比較的長時間（例えば十数秒〜数分程度）連続したデータの取得が求められることが多く、体動ノイズの影響が大きくなる。【０００８】
本発明は、上記問題点を解消する為になされたものであり、生体信号を取得する生体センサを備える携帯機器において、携帯機器を手に持って使用しているときに生体信号を取得する際に、該携帯機器を指で操作する際の体動に伴って発生する体動ノイズを低減することが可能な携帯機器を提供することを目的とする。
【課題を解決するための手段】
【０００９】
本発明に係る携帯機器は、手で把持して、親指で操作を行う携帯機器であって、自機を把持する手から生体信号を取得する生体センサと、親指による操作を受け付ける操作スイッチとを備え、該操作スイッチが、操作を行う手の親指の手根中手関節を中心とし、該手根中手関節から親指指先までを半径とする仮想円の円弧に沿って配置されていることを特徴とする。【００１０】
本発明に係る携帯機器によれば、操作を行う手の親指の手根中手関節を中心とし、該手根中手関節から親指指先までを半径とする仮想円の円弧に沿って操作スイッチが配置されている。そのため、親指での操作時に、親指以外の指や手の平が連動して動くことを抑制することができる。よって、携帯機器を手に持って使用しているときに生体信号を取得する際に、該携帯機器を指で操作する際の体動に伴って発生する体動ノイズを低減することが可能となる。【００１１】
本発明に係る携帯機器は、手で把持して、指で操作を行う携帯機器であって、自機を把持する手から生体信号を取得する生体センサと、指による操作を受け付ける操作スイッチとを備え、該操作スイッチが、生体センサにより生体信号が取得される際に、生体信号の取得が行われている手の指による操作を受付けないことを特徴とする。【００１２】
本発明に係る携帯機器によれば、生体センサにより生体信号が取得される際に、操作スイッチが、生体信号の取得が行われている手の指による操作を受付けなくなる。その結果、生体情報を取得している手と異なる手の指で操作が行われることとなるため、生体信号を取得する際に、携帯機器を指で操作するときの体動に伴って発生する体動ノイズをより低減することができ、携帯機器の操作中に安定して生体信号を取得することが可能となる。【００１３】
なお、その際に、操作スイッチは、操作を行う手の親指の手根中手関節を中心とし、該手根中手関節から親指指先までを半径とする仮想円の円弧に沿って配置されていることが好ましい。【００１４】
本発明に係る携帯機器は、手で把持して、指で操作を行う携帯機器であって、自機を把持する左右それぞれの手から生体信号を取得する複数の生体センサと、複数の生体センサそれぞれによって取得された生体信号を選択して出力する生体信号選択手段と、左右それぞれの手の指による操作を受け付ける操作スイッチと、左右それぞれの手によるスイッチ操作の操作頻度を求める操作頻度取得手段とを備え、生体信号選択手段が、左右それぞれの手のうち、操作頻度取得手段により求められた操作頻度が低い方の手から取得された生体信号を優先的に選択して出力することを特徴とする。【００１５】
本発明に係る携帯機器によれば、左右それぞれの手のうち、操作頻度が低い方の手から取得された生体信号が選択されて出力される。そのため、該携帯機器を指で操作する際の体動に伴って発生する体動ノイズの影響をより小さくすることが可能となる。【００１６】
本発明に係る携帯機器は、手で把持して、指で操作を行う携帯機器であって、自機を把持する手から生体信号を取得する生体センサと、指による操作を受け付ける、配置を変更可能な操作スイッチと、操作スイッチの配置を変更するスイッチ配置変更手段とを備え、スイッチ配置変更手段が、生体センサにより生体信号が取得される際に、生体信号の取得が行われている手の指からの操作を受付ける操作スイッチを配置しないように、操作スイッチの配置を変更することを特徴とする。【００１７】
本発明に係る携帯機器によれば、生体センサにより生体信号が取得される際に、生体信号の取得が行われている手の指からの操作を受付ける操作スイッチを配置しないように操作スイッチの配置が変更される。その結果、生体情報を取得している手と異なる手の指で操作が行われるため、生体信号を取得する際に、携帯機器を指で操作するときの体動に伴って発生する体動ノイズをより低減することができ、携帯機器の操作中に安定して生体信号を取得することが可能となる。【００１８】
なお、生体センサにより生体信号が取得される際に、スイッチ配置変更手段は、生体信号の取得が行われていない手の親指の手根中手関節を中心とし、該手根中手関節から親指指先までを半径とする仮想円の円弧に沿って操作スイッチを配置することが好ましい。【００１９】
本発明に係る携帯機器は、手で把持して、親指で操作を行う携帯機器であって、自機を把持する手から生体信号を取得する生体センサと、親指による操作を受け付ける、配置を変更可能な操作スイッチと、操作スイッチの配置を変更するスイッチ配置変更手段とを備え、スイッチ配置変更手段が、生体センサにより生体信号が取得される際に、操作を行う手の親指の手根中手関節を中心とし、該手根中手関節から親指指先までを半径とする仮想円の円弧に沿って操作スイッチが配置されるように、操作スイッチの配置を変更することを特徴とする。【００２０】
本発明に係る携帯機器によれば、ユーザの手から生体信号が取得される際に、操作を行う手の親指の手根中手関節を中心とし、該手根中手関節から親指指先までを半径とする仮想円の円弧に沿って操作スイッチが配置されるように、該操作スイッチの配置が変更される。そのため、親指での操作時に、親指以外の指や手の平が連動して動くことを抑制することができる。よって、携帯機器を手に持って使用しているときに生体信号を取得する際に、該携帯機器を親指で操作する際の体動に伴って発生する体動ノイズを低減することが可能となる。【００２１】
本発明に係る携帯機器は、手で把持して、親指で操作を行う携帯機器であって、自機を把持する左右それぞれの手から生体信号を取得する複数の生体センサと、複数の生体センサそれぞれによって取得された生体信号を選択して出力する生体信号選択手段と、左右それぞれの手の親指による操作を受け付ける、配置を変更可能な複数の操作スイッチと、左右それぞれの手について、複数の操作スイッチの配置を変更するスイッチ配置変更手段と、左右それぞれの手によるスイッチ操作の操作頻度を求める操作頻度取得手段とを備え、スイッチ配置変更手段が、生体センサにより生体信号が取得される際に、左右それぞれの手について、手の親指の手根中手関節を中心とし、該手根中手関節から親指指先までを半径とする仮想円の円弧に沿って操作スイッチが配置されるように、操作スイッチの配置を変更し、生体信号選択手段が、左右それぞれの手のうち、操作頻度取得手段により求められた操作頻度が低い方の手から取得された生体信号を優先的に選択して出力することを特徴とする。【００２２】
本発明に係る携帯機器によれば、生体信号が取得される際に、左右それぞれの手について、手の親指の手根中手関節を中心とし、該手根中手関節から親指指先までを半径とする仮想円の円弧に沿って操作スイッチが配置、変更される。そのため、親指での操作時に、親指以外の指や手の平が連動して動くことを抑制することができ、該携帯機器を親指で操作する際の体動に伴って発生する体動ノイズを低減することができる。さらに、本発明に係る携帯機器によれば、左右それぞれの手のうち、操作頻度が低い方の手から取得された生体信号が選択されて出力される。そのため、該携帯機器を親指で操作する際の体動に伴って発生する体動ノイズの影響をより小さくすることが可能となる。【００２３】
本発明に係る携帯機器は、手で把持して、親指で操作を行う携帯機器であって、自機を把持している手を判定する把持手判定手段と、自機を把持する手から生体信号を取得する生体センサと、親指による操作を受け付ける、配置を変更可能な操作スイッチと、操作スイッチの配置を変更するスイッチ配置変更手段とを備え、生体センサにより生体信号が取得される際に、把持手判定手段により自機が片手で把持されていると判定された場合、スイッチ配置変更手段が、自機を把持している手の親指の手根中手関節を中心とし、該手根中手関節から親指指先までを半径とする仮想円の円弧に沿って操作スイッチが配置されるように、操作スイッチの配置を変更することを特徴とする。【００２４】
本発明に係る携帯機器によれば、自機を把持している手の親指の手根中手関節を中心とし、該手根中手関節から親指指先までを半径とする仮想円の円弧に沿って操作スイッチが配置、変更される。よって、片手で携帯機器を把持しつつ操作を行う場合であっても、親指での操作時に、親指以外の指や手の平が連動して動くことを抑制することができる。よって、携帯機器を親指で操作する際の体動に伴って発生する体動ノイズを低減することが可能となる。【００２５】
本発明に係る携帯機器は、親指がタッチされた領域の位置情報を取得する位置情報取得手段と、位置情報取得手段により取得された位置情報に基づいて、操作スイッチの目標配置領域を設定する配置領域設定手段とを備え、スイッチ配置変更手段が、操作スイッチと、配置領域設定手段により設定された目標配置領域との重なる面積がより大きくなるように、操作スイッチを配置することが好ましい。【００２６】
ところで、一般的に、ユーザの手の大きさや把持の仕方はユーザ毎に異なる。この場合、親指がタッチされた領域の位置情報に基づいて設定された目標配置領域と重なる面積がより大きくなるように操作スイッチが配置されるため、例えば、ユーザの手の大きさや把持の仕方に合わせて操作スイッチを配置することができる。すなわち、ユーザ毎に最適な位置に操作スイッチを配置することができる。その結果、携帯機器を親指で操作する際の体動に伴って発生する体動ノイズをより効果的に低減することが可能となる。
【発明の効果】
【００２７】
本発明によれば、生体信号を取得する生体センサを備える携帯機器において、携帯機器を手に持って使用しているときに生体信号を取得する際に、該携帯機器を指で操作する際の体動に伴って発生する体動ノイズを低減することが可能となる。
【図面の簡単な説明】
【００２８】
【図１】第１実施形態に係る携帯機器の構成を示すブロック図である。
【図２】生体信号を取得する際の第１実施形態に係る携帯機器の操作スイッチ配置を示す図である。
【図３】第１実施形態に係る携帯機器による生体信号測定処理の処理手順を示すフローチャートである。
【図４】第２実施形態に係る携帯機器の構成を示すブロック図である。
【図５】第２実施形態に係る携帯機器による操作スイッチ配置処理の処理手順を示すフローチャートである。
【図６】第２実施形態に係る携帯機器による操作スイッチの配置の仕方を説明するための図である。
【図７】第３実施形態に係る携帯機器の構成を示すブロック図である。
【図８】生体信号を取得する際の第３実施形態に係る携帯機器の操作スイッチ配置を示す図である。
【図９】第３実施形態に係る携帯機器による生体信号選択処理の処理手順を示すフローチャートである。
【図１０】第４実施形態に係る携帯機器の構成を示すブロック図である。
【図１１】第４実施形態に係る携帯機器を右手で把持した場合の操作スイッチ配置を示す図である。
【図１２】第４実施形態に係る携帯機器を左手で把持した場合の操作スイッチ配置を示す図である。
【図１３】第４実施形態に係る携帯機器による生体信号測定処理の処理手順を示すフローチャートである。
【発明を実施するための形態】
【００２９】
以下、図面を参照して本発明の好適な実施形態について詳細に説明する。なお、各図において、同一要素には同一符号を付して重複する説明を省略する。
【００３０】
［第１実施形態］
まず、図１及び図２を併せて用いて、第１実施形態に係る携帯機器１の構成について説明する。図１は、携帯機器１の構成を示すブロック図である。図２は、生体信号を取得する際の携帯機器１の操作スイッチ配置を示す図である。
【００３１】
携帯機器１は、例えば、携帯電話機、スマートフォン、タブレットＰＣ等のモバイルＰＣや、携帯ゲーム機などのモバイル機器を始め、その他、リモコンなどの手に持って使用（操作）する電子機器である。特に、携帯機器１は、手に持って、親指等でスイッチを操作する形態の電子機器である。なお、本実施形態では、携帯機器１として、スマートフォンを例にして説明する（以下、携帯機器を「スマートフォン」ともいう）。
【００３２】
スマートフォン１は、生体信号を取得する生体信号センシング部（請求の範囲に記載の生体センサに相当）４１，４２を備え、スマートフォン１を手に持って使用しているときに生体信号を取得できるように構成されている。例えば、スマートフォン１によれば、ユーザがスマートフォン１を把持し、Ｗｅｂ検索、電話番号入力／選択や電子メール入力等の操作を普通に行っているときに、ユーザの生体情報を取得することができる。
【００３３】
スマートフォン１は、生体信号センシング部４１，４２により生体信号が取得される際に、操作を行っている手５０１の親指の手根中手関節５００を中心とし、該手根中手関節５００から親指指先までを半径とする仮想円の円弧５１０に沿って操作スイッチ３１を配置する機能を有している。
【００３４】
そのために、スマートフォン１は、ユーザの生体信号を取得する生体信号センシング部４１，４２、及び、取得された生体信号を処理して生体情報を取得・記憶するとともに、複数の操作スイッチ３１の配置を変更する信号を生成・出力する信号処理ユニット１０１、及び操作スイッチ３１を表示するタッチスクリーン２１を備えている。信号処理ユニット１０１は、駆動部１５１、増幅部１５２、信号処理部１５３、生体情報演算部１５４、及びスイッチ配置変更部１１１などを有している。以下、各構成について詳細に説明する。
【００３５】
生体信号センシング部４１，４２は、自機を把持している手の指や手の平から生体信号を取得する。使用される生体センサとしては、例えば、光電脈波センサ、酸素飽和度センサ、圧力脈波センサ、心電センサ、筋電センサ、皮膚抵抗センサ、発汗センサ、皮膚温度センサ、及び体脂肪センサなどが挙げられる。本実施形態では、生体信号センシング部４１，４２として、指先などで触れることにより、脈拍などの生体情報を取得できる光電脈波センサを用いた（以下、生体信号センシング部を「光電脈波センシング部」ともいう）。光電脈波センサは、血中ヘモグロビンの吸光特性を利用して、脈拍などを光学的に計測する。
【００３６】
なお、生体信号センシング部４１，４２として用いられるセンサは光電脈波センサに限られることなく、取得したい生体信号に応じて、例えば上述した生体センサの中から選んで用いることができる。その際に、生体信号センシング部４１と生体信号センシング部４２とは、同種のセンサを用いてもよいし、異なる種類のセンサを用いてもよい。例えば、光電脈波センサと心電センサとを組み合わせて用いれば、脈拍に加えて心電信号を同時に取得することができる。また、スマートフォン１に取り付けられる生体信号センシング部の数は２つには限られず、１つ又は３つ以上であってもよい。
【００３７】
光電脈波センシング部４１，４２は、スマートフォン１を両手５０１，５０２で把持したときに、人差し指、中指、手の平の指の付け根が接触する箇所、例えば、スマートフォン１の本体１１の両側面（図２の一点鎖線で示された箇所を参照）、上面の両端付近、又は、背面の両側面付近などに配置することが好ましい。なお、本実施形態では、図２に示されるように、スマートフォン１の上面の両端部に光電脈波センシング部４１，４２を配置した。
【００３８】
スマートフォン１の本体１１の前面には、タッチスクリーン２１が取り付けられている。タッチスクリーン２１は、操作画面を表示する液晶ディスプレイ（ＬＣＤ）等からなる表示部２１ａと、ユーザのタッチ位置（操作）を検出するタッチパネル等からなる位置検出部２１ｂとを有している。表示部２１ａは、信号処理ユニット１０１から出力される表示画面情報を受けて、機器を操作するための複数（図２の例では５個）の各種操作スイッチ３１や各種情報などを表示する。位置検出部２１ｂは、表示部２１ａの表示画面を覆うように設けられており、その表面には２次元座標（Ｘ−Ｙ座標）が仮想的に配置されている。位置検出部２１ｂは、ユーザによるタッチ操作がなされると、そのタッチ位置に応じた座標情報を出力する。なお、タッチ位置の検出には、例えば、電気抵抗、圧力、静電容量、赤外線、又は超音波等が利用される。
【００３９】
タッチスクリーン２１は、信号処理ユニット１０１と接続されており、検出されたタッチ位置の座標情報を、信号処理ユニット１０１に出力する。そして、各種操作スイッチ３１等の表示位置とタッチ位置を示す座標情報とに基づき、ユーザの操作内容が、信号処理ユニット１０１によって判断される。
【００４０】
信号処理ユニット１０１は、上述したように、駆動部１５１、増幅部１５２、信号処理部１５３、生体情報演算部１５４、及びスイッチ配置変更部１１１などを有している。信号処理ユニット１０１は、光電脈波センシング部４１，４２により検出された光電脈波信号を処理してユーザの脈拍などの生体情報を取得する。また、信号処理ユニット１０１は、光電脈波センシング部４１，４２により光電脈波信号が取得される際に、タッチスクリーン２１（表示部２１ａ）に表示される複数の操作スイッチ３１の配置を変更する。詳細は後述する。
【００４１】
そのため、信号処理ユニット１０１は、光電脈波センシング部４１，４２を構成するＬＥＤやＶＣＳＥＬ等の発光素子を駆動する駆動部１５１、入力インターフェースとしての増幅部１５２、信号処理部１５３、及び、該増幅部１５２、信号処理部１５３を介して入力される光電脈波信号に対して演算処理を行うマイクロプロセッサ、該マイクロプロセッサに各処理を実行させるためのプログラムやデータを記憶するＲＯＭ、演算結果などの各種データを一時的に記憶するＲＡＭ、及びデータがバックアップされているバックアップＲＡＭ等により構成されている。信号処理ユニット１０１では、ＲＯＭに記憶されているプログラムが、マイクロプロセッサによって実行されることにより、生体情報演算部１５４、及びスイッチ配置変更部１１１の機能が実現される。
【００４２】
増幅部１５２は、例えばオペアンプ等を用いた増幅器により構成され、光電脈波センシング部４１，４２を構成するフォトダイオードやフォトトランジスタ等の受光素子により検出された光電脈波信号を増幅する。増幅部１５２で増幅された光電脈波信号は、信号処理部１５３に出力される。信号処理部１５３は、増幅部１５２で増幅され、Ａ／Ｄ変換された光電脈波信号を処理して、生体情報演算部１５４に出力する。なお、前処理として、ローパスフィルタやバンドパスフィルタ等を用いて光電脈波信号からノイズを除去する構成としてもよい。又は、Ａ／Ｄ変換後にディジタルフィルタを用いてフィルタリング処理を施すことによりノイズを除去してもよい。
【００４３】
生体情報演算部１５４は、読み込まれた光電脈波信号から脈拍を取得する。なお、取得された脈拍等の生体情報は、外部に出力されたり、或いは、上述したＲＡＭなどに記憶される。
【００４４】
スイッチ配置変更部１１１は、図２に示されるように、光電脈波センシング部４１，４２により光電脈波信号が取得される際に、操作を行っている手（図２の例では右手５０１）の親指の手根中手関節５００を中心とし、該手根中手関節５００から親指指先までを半径とする仮想円の円弧５１０に沿って複数の操作スイッチ３１が配置されるように、タッチスクリーン２１に表示される操作スイッチ３１の配置を変更する。すなわち、スイッチ配置変更部１１１は、請求の範囲に記載のスイッチ配置変更手段として機能する。ここで、操作を行っている手は、例えば、タッチスクリーン２１を構成する位置検出部２１ｂにより検出されたタッチ位置の座標情報に基づいて検知される。なお、操作を行う手（図２の例では右手５０１）の親指の手根中手関節５００の位置、及び、該手根中手関節５００を中心とし、該手根中手関節５００から親指指先までを半径とする仮想円の円弧５１０は、例えば、標準的な手の大きさ、指の長さ、及びスマートフォン１の持ち方などの統計データに基づいて予め設定される。
【００４５】
なお、操作スイッチ３１の配置変更は、光電脈波センシング部４１或いは光電脈波センシング部４２からの信号の他、手の指又は手の平の接触を検知する近接スイッチの信号、又は光電脈波信号の計測の開始／停止を制御するＯＮ／ＯＦＦスイッチの信号等をトリガとして実行してもよい。
【００４６】
また、図２では、右手５０１の親指で操作スイッチ３１を押す場合を示したが、左手５０２の親指で操作スイッチを押す場合には、スイッチ配置変更部１１１は、図２と左右対称の配置、すなわち、左手５０２の親指の手根中手関節を中心とし、該手根中手関節から親指指先までを半径とする仮想円の円弧に沿って複数の操作スイッチが配置されるように、タッチスクリーン２１に表示される操作スイッチの配置が変更される。
【００４７】
次に、図３を参照しつつ、スマートフォン１の動作について説明する。図３は、スマートフォン１による生体信号測定処理の処理手順を示すフローチャートである。なお、本処理は、信号処理ユニット１０１において、所定のタイミングで実行される。
【００４８】
ステップＳ１００では、光電脈波センシング部４１，４２にユーザの指先が接触され、光電脈波信号の取得が開始されたか否かについての判断が行われる。ここで、光電脈波信号の取得が開始された場合には、ステップＳ１０２に処理が移行する。一方、まだ光電脈波信号の取得が開始されていないときには、ユーザの指先が接触されて光電脈波信号の取得が開始されるまで、本ステップが繰り返して実行される。
【００４９】
ステップＳ１０２では、タッチスクリーン２１に表示される複数の操作スイッチ３１の配置が変更される。より具体的には、操作を行っている手（図２の例では右手５０１）の親指の手根中手関節５００を中心とし、該手根中手関節５００から親指指先までを半径とする仮想円の円弧５１０に沿って複数の操作スイッチ３１が配置されるように、タッチスクリーン２１に表示される操作スイッチ３１の配置が変更される。
【００５０】
続いて、ステップＳ１０４では、取得された光電脈波信号が読み込まれる。続くステップＳ１０６では、読み込まれた光電脈波信号のエラー判定（例えば、信号の電圧値が所定の範囲内に収まっているか否かなど）が行われる。
【００５１】
ここで、読み込まれた光電脈波信号が異常であると判定（すなわちエラーと判定）された場合には、ステップＳ１０８においてデータが破棄された後、本処理から一旦抜ける。一方、読み込まれた光電脈波信号が正常であると判定されたときには、ステップＳ１１０においてデータが生体情報演算部１５４に出力される。その後、本処理から一旦抜ける。
【００５２】
本実施形態によれば、光電脈波信号が取得される際に、操作を行っている手５０１の親指の手根中手関節５００を中心とし、該手根中手関節５００から親指指先までを半径とする仮想円の円弧５１０に沿って操作スイッチ３１が配置されるように、該操作スイッチ３１の配置が変更される。そのため、親指での操作時に、親指以外の指や手の平が連動して動くことを抑制することができる。よって、スマートフォン１を手に持って使用しているときに光電脈波信号を取得する際に、スマートフォン１を親指で操作する際の体動に伴って発生する体動ノイズを低減することが可能となる。
【００５３】
また、本実施形態によれば、光電脈波信号の取得が行われていない手５０１の親指の手根中手関節５００を中心とし、該手根中手関節５００から親指指先までを半径とする仮想円の円弧５１０に沿って操作スイッチ３１を配置、変更することができる。この場合、光電脈波情報を取得している手５０２と異なる手５０１の親指で操作が行われるため、光電脈波信号を取得する際に、スマートフォン１を親指で操作する際の体動に伴って発生する体動ノイズをより低減することができ、スマートフォン１の操作中に安定して光電脈波信号を取得することが可能となる。
【００５４】
［第２実施形態］
次に、図４を用いて、第２実施形態に係るスマートフォン（携帯機器）２の構成について説明する。図４は、スマートフォン２の構成を示すブロック図である。なお、図４において第１実施形態と同一又は同等の構成要素については同一の符号が付されている。
【００５５】
上述したように、操作を行う手の親指の手根中手関節５００の位置、及び、該手根中手関節５００を中心とし、該手根中手関節５００から親指指先までを半径とする仮想円の円弧５１０は、例えば、標準的な手の大きさ、指の長さ、及びスマートフォンの持ち方などの統計データに基づいて予め設定される。しかしながら、最適なスイッチ配置はユーザの手のサイズや持ち方等によって異なる。
【００５６】
スマートフォン２は、上述したスマートフォン１に対して、操作スイッチ３１の配置をユーザ毎に変更する機能が付加されている。そのため、スマートフォン２は、上述した信号処理ユニット１０１に代えて、信号処理ユニット１０２を備えている。信号処理ユニット１０２は、上述した信号処理ユニット１０１の構成に加えて、配置領域設定部１２１をさらに有している点で、信号処理ユニット１０１と異なっている。また、上述したスイッチ配置変更部１１１に代えて、スイッチ配置変更部１２２を有している点で、信号処理ユニット１０１と異なっている。その他の構成は、上述したスマートフォン１と同一または同様であるので、ここでは詳細な説明を省略する。
【００５７】
ところで、上述したように、タッチスクリーン２１を構成する位置検出部２１ｂは、ユーザによるタッチ操作がなされると、そのタッチ位置に応じた位置（座標）情報を検出する。ここで、例えば、最初の操作時に、図６に示されるように、親指の動き易い範囲がタッチスクリーン２１から入力された場合、位置検出部２１ｂは、親指によってタッチされた領域５１１の位置情報を検出する。すなわち、タッチスクリーン２１（位置検出部２１ｂ）は、請求の範囲に記載の位置情報取得手段として機能する。なお、位置検出部２１ｂにより検出されたタッチ領域５１１の位置情報は、信号処理ユニット１０２へ出力される。
【００５８】
信号処理ユニット１０２中の配置領域設定部１２１は、位置検出部２１ｂから入力された親指のタッチ領域５１１の位置情報に基づいて、操作スイッチの目標配置領域を設定する。すなわち、配置領域設定部１２１は、請求の範囲に記載の配置領域設定手段として機能する。なお、上記目標配置領域は、例えば、入力された親指のタッチ領域を所定回数蓄積して求めてもよい。設定された目標配置領域は、スイッチ配置変更部１２２に出力される。
【００５９】
スイッチ配置変更部１２２は、操作スイッチ（群）３１と、配置領域設定部１２１により設定された目標配置領域との重なる面積がより大きくなるように、操作スイッチ（群）３１を配置する。求められた操作スイッチ（群）３１の配置情報は、タッチスクリーン２１を構成する表示部２１ａに出力され、表示される。
【００６０】
次に、図５を参照しつつ、スマートフォン２の動作について説明する。図５は、スマートフォン２による操作スイッチ配置処理の処理手順を示すフローチャートである。なお、本処理は、信号処理ユニット１０２において、所定のタイミングで実行される。
【００６１】
ステップＳ２００では、タッチスクリーン２１を構成する位置検出部２１ｂから出力される親指のタッチ領域５１１の位置（座標）情報が読み込まれる。
【００６２】
続いて、ステップＳ２０２では、ステップＳ２００において読み込まれた親指のタッチ領域５１１の位置情報に基づいて、一群の操作スイッチ３１の目標配置領域が設定される。
【００６３】
次に、ステップＳ２０４では、ステップＳ２０２において設定された目標配置領域と、操作スイッチ（群）３１との重なる面積がより大きくなるように、操作スイッチ（群）３１のタッチスクリーン２１上の配置が演算される。
【００６４】
そして、ステップＳ２０６では、ステップＳ２０４において求められたタッチスクリーン２１上の位置に、操作スイッチ（群）３１が表示される。
【００６５】
本実施形態によれば、親指がタッチされた領域５１１の位置情報に基づいて設定された目標配置領域と重なる面積がより大きくなるように操作スイッチ３１が配置されるため、例えば、ユーザの手の大きさや把持の仕方に合わせて操作スイッチ３１を配置することができる。すなわち、ユーザ毎に最適な位置に操作スイッチ３１を配置することができる。その結果、スマートフォン２を親指で操作する際の体動に伴って発生する体動ノイズをより効果的に低減することが可能となる。
【００６６】
［第３実施形態］
次に、図７及び図８を併せて用いて、第３実施形態に係るスマートフォン（携帯機器）３の構成について説明する。図７は、スマートフォン３の構成を示すブロック図である。図８は、光電脈波信号を取得する際のスマートフォン３の操作スイッチ配置を示す図である。なお、図７，８において第１実施形態と同一又は同等の構成要素については同一の符号が付されている。
【００６７】
スマートフォン３は、上述したスマートフォン１に対して、左右それぞれの手５０１，５０２の指による操作スイッチ３１，３２の操作頻度に応じて、検出信号を読み込む光電脈波センシング部４１，４２を切替える機能が付加されている。そのため、スマートフォン３は、上述した信号処理ユニット１０１に代えて、信号処理ユニット１０３を備えている。信号処理ユニット１０３は、上述した信号処理ユニット１０１の構成に加えて、操作頻度取得部１３１、及び生体信号選択部１３２をさらに有している点で、信号処理ユニット１０１と異なっている。その他の構成は、上述したスマートフォン１と同一または同様であるので、ここでは詳細な説明を省略する。
【００６８】
スイッチ配置変更部１１１は、光電脈波センシング部４１，４２により光電脈波信号が取得される際に、左右それぞれの手５０１，５０２について、手５０１，５０２の親指の手根中手関節５００，５０３を中心とし、該手根中手関節５００，５０３から親指指先までを半径とする仮想円の円弧５１０，５１１に沿って複数の操作スイッチ３１，３２が配置されるように、操作スイッチ３１，３２の配置を変更する。
【００６９】
操作頻度取得部１３１は、左右それぞれの手５０１，５０２によるスイッチ操作の頻度を求める。すなわち、操作頻度取得部１３１は、請求の範囲に記載の操作頻度取得手段として機能する。より詳細には、操作頻度取得部１３１は、例えば、所定時間内に操作スイッチ３１，３２が押された回数をカウントすることにより操作頻度を求める。また、操作頻度取得部１３１は、直近に押された程、重みが大きくなるように重み付けを設定し、上記操作頻度と重みとを乗算して得られた値を操作頻度としてもよい。操作頻度取得部１３１により取得された左右の操作スイッチ３１，３２の操作頻度情報は、生体信号選択部１３２へ出力される。
【００７０】
生体信号選択部１３２は、光電脈波センシング部４１，４２それぞれによって取得された光電脈波信号を、操作頻度取得部１３１により取得された操作頻度情報に応じて選択して出力する。具体的には、生体信号選択部１３２は、左右それぞれの手５０１，５０２のうち、操作頻度取得部１３１により求められた操作頻度が低い方の手から取得された光電脈波信号を選択して出力する。すなわち、生体信号選択部１３２は、図８に示されるように、左手５０２側の操作スイッチ３２が操作されているときには右手５０１の光電脈波センシング部４２の検出信号を優先して選択し、右手５０１側の操作スイッチ３１が操作されているときには左手５０２の光電脈波センシング部４１の検出信号を優先して選択する。生体信号選択部１３２は、請求の範囲に記載の生体信号選択手段として機能する。
【００７１】
なお、光電脈波信号のサンプリングは、常に両方の光電脈波センシング部４１，４２により行われていることが好ましい。生体信号選択部１３２により選択された検出信号は、生体情報演算部１５４へ出力され、脈拍等の生体情報が取得される。
【００７２】
次に、図９を参照しつつ、スマートフォン３の動作について説明する。図９は、スマートフォン３による生体信号選択処理の処理手順を示すフローチャートである。なお、本処理は、信号処理ユニット１０３において、所定のタイミングで実行される。
【００７３】
ステップＳ３００では、光電脈波センシング部４１，４２にユーザの指先が接触され、光電脈波信号の取得が開始されたか否かについての判断が行われる。ここで、光電脈波信号の取得が開始された場合には、ステップＳ３０２に処理が移行する。一方、まだ光電脈波信号の取得が開始されていないときには、ユーザの指先が接触されて光電脈波信号の取得が開始されるまで、本ステップが繰り返して実行される。
【００７４】
ステップＳ３０２では、タッチスクリーン２１に表示される複数のスイッチ３１,３２の配置が変更される。より詳細には、右手５０１の親指の手根中手関節５００を中心とし、該手根中手関節５００から親指指先までを半径とする仮想円の円弧５１０に沿って複数の操作スイッチ３１が配置されるように、タッチスクリーン２１に表示される操作スイッチ３１の配置が変更される。また、左手５０２の親指の手根中手関節５０３を中心とし、該手根中手関節５０３から親指指先までを半径とする仮想円の円弧５１１に沿って複数の操作スイッチ３２が配置されるように、タッチスクリーン２１に表示される操作スイッチ３２の配置が変更される。
【００７５】
続いて、ステップＳ３０４では、右手５０１が接触している光電脈波センシング部４２から取得された光電脈波信号が読み込まれる。同様に、ステップＳ３０６において、左手５０２が接触している光電脈波センシング部４１から取得された光電脈波信号が読み込まれる。
【００７６】
続くステップＳ３０８では、右手５０１が接触している光電脈波センシング部４２から読み込まれた光電脈波信号のエラーチェック（例えば、信号の電圧値が所定の範囲内に収まっているか否かなど）が行われる。同様に、ステップＳ３１０において、左手５０２が接触している光電脈波センシング部４１から読み込まれた光電脈波信号のエラーチェックが行われる。
【００７７】
次に、ステップＳ３１２では、ステップＳ３０８，Ｓ３１０でのエラーチェックの結果、光電脈波センシング部４２から読み込まれた光電脈波信号及び光電脈波センシング部４１から読み込まれた光電脈波信号が共に異常であるか否かについての判断が行われる。ここで、双方の光電脈波信号が共に異常であると判定（すなわちエラーと判定）された場合には、ステップＳ３１４においてデータ（光電脈波信号）が破棄された後、本処理から一旦抜ける。一方、ステップＳ３１２が否定された場合、すなわち、光電脈波センシング部４２から読み込まれた光電脈波信号及び光電脈波センシング部４１から読み込まれた光電脈波信号の双方またはいずれか一方が正常であると判定されたときには、ステップＳ３１６に処理が移行する。
【００７８】
ステップＳ３１６では、光電脈波センシング部４２から読み込まれた光電脈波信号が異常であるか否かについての判断が行われる。ここで、当該光電脈波信号が正常であると判定された場合には、ステップＳ３２０に処理が移行する。一方、当該光電脈波信号が異常であると判定された場合には、ステップＳ３１８において、光電脈波センシング部４１から読み込まれた光電脈波信号が選択されて出力される。その後、本処理から一旦抜ける。
【００７９】
ステップＳ３２０では、光電脈波センシング部４１から読み込まれた光電脈波信号が異常であるか否かについての判断が行われる。ここで、当該光電脈波信号が正常であると判定された場合には、ステップＳ３２４に処理が移行する。一方、当該光電脈波信号が異常であると判定された場合には、ステップＳ３２２において、光電脈波センシング部４２から読み込まれた光電脈波信号が選択されて出力される。その後、本処理から一旦抜ける。
【００８０】
ステップＳ３２４では、右手５０１の親指で操作される操作スイッチ３１、及び左手５０２親指で操作される操作スイッチ３２それぞれの出力変化回数がカウントされ、操作頻度が求められる。
【００８１】
続いて、ステップＳ３２６では、右手５０１で操作される操作スイッチ３１の操作頻度が、左手５０２で操作される操作スイッチ３２の操作頻度よりも高いか否かについての判断が行われる。ここで、操作スイッチ３１の操作頻度が操作スイッチ３２の操作頻度よりも高い場合には、上述したステップＳ３１８に処理が移行し、ステップＳ３１８において、光電脈波センシング部４１から読み込まれた光電脈波信号が選択され出力された後、本処理から一旦抜ける。一方、操作スイッチ３２の操作頻度が操作スイッチ３１の操作頻度よりも高い場合には、上述したステップＳ３２２に処理が移行し、ステップＳ３２２において、光電脈波センシング部４２から読み込まれた光電脈波信号が選択され出力された後、本処理から一旦抜ける。
【００８２】
本実施形態によれば、光電脈波信号が取得される際に、左右それぞれの手５０１，５０２について、手５０１，５０２の親指の手根中手関節５００，５０３を中心とし、該手根中手関節５００，５０３から親指指先までを半径とする仮想円の円弧５１０，５１１に沿って操作スイッチ３１，３２が配置、変更される。そのため、親指での操作時に、親指以外の指や手の平が連動して動くことを抑制することができ、スマートフォン３を親指で操作する際の体動に伴って発生する体動ノイズを低減することができる。さらに、本実施形態では、左右それぞれの手５０１，５０２のうち、操作頻度が低い方の手から取得された光電脈波信号が選択されて出力される。そのため、スマートフォン３を親指で操作する際の体動に伴って発生する体動ノイズの影響をより小さくすることが可能となる。
【００８３】
［第４実施形態］
次に、図１０〜図１１を併せて用いて、第４実施形態に係るスマートフォン（携帯機器）４の構成について説明する。図１０は、スマートフォン４の構成を示すブロック図である。また、図１１は、スマートフォン４を右手５０１で把持した場合の操作スイッチ配置を示す図であり、図１２は、スマートフォン４を左手５０２で把持した場合の操作スイッチ配置を示す図である。なお、図１０，１１，１２において第１実施形態と同一又は同等の構成要素については同一の符号が付されている。
【００８４】
ところで、スマートフォンは、片手で把持して使用される場合もある。スマートフォン４は、上述したスマートフォン１に対して、ユーザがどちらの手（右手又は左手）で自機を持っているかを判定し、持ち手に応じて、タッチスクリーン２３に表示される複数のスイッチ３３（３４）の配置を変更する機能が付加されている。そのため、スマートフォン４は、上述した信号処理ユニット１０１に代えて、信号処理ユニット１０４を備えている。信号処理ユニット１０４は、上述した信号処理ユニット１０１の構成に加えて、把持手判定部１４１をさらに有している点で、信号処理ユニット１０１と異なっている。なお、本実施形態では、２つの光電脈波センシング部４３，４４を、図１１，１２に示されるように、本体１３の側面下端部に取り付けた。その他の構成は、上述したスマートフォン１と同一または同様であるので、ここでは説明を省略する。
【００８５】
把持手判定部１４１は、光電脈波センシング部４１からの信号及び光電脈波センシング部４２からの信号に基づいて、自機を把持している手、すなわち、両手で把持しているか片手で把持しているか、また、片手で把持している場合には、右手で持っているか左手で持っているかを判定する。すなわち、把持手判定部１４１は、請求の範囲に記載の把持手判定手段として機能する。
【００８６】
より具体的には、把持手判定部１４１は、光電脈波センシング部４３及び光電脈波センシング部４４それぞれから所定値以上の正常な信号（出力）が得られている場合には、両手５０１，５０２で把持されていると判定する。また、把持手判定部１４１は、光電脈波センシング部４３のみから正常な信号（出力）が得られているときには、左手５０２（片手）で把持されていると判定する。一方、光電脈波センシング部４４のみから正常な信号（出力）が得られているときには、右手５０１（片手）で把持されていると判定する。なお、光電脈波センシング部４３，４４とは別に、スマートフォン３の本体１３に、人体の接触を検知することができる近接スイッチ等や体表面温度を測定する温度センサなどを取り付け、把持している手を検知する構成としてもよい。検知された把持手を示す情報はスイッチ配置変更部１１１に出力される。
【００８７】
スイッチ配置変更部１１１は、自機が右手５０１で持たれていると判定された場合、図１１に示されるように、自機を把持している右手５０１の親指の手根中手関節５００を中心とし、該手根中手関節５００から親指指先までを半径とする仮想円の円弧５１０に沿って複数の操作スイッチ３３が配置されるように、操作スイッチ３３の配置を変更する。
【００８８】
一方、スイッチ配置変更部１１１は、自機が左手５０２で持たれていると判定された場合、図１２に示されるように、自機を把持している左手５０２の親指の手根中手関節５０３を中心とし、該手根中手関節５０３から親指指先までを半径とする仮想円の円弧５１１に沿って複数の操作スイッチ３４が配置されるように、操作スイッチ３４の配置を変更する。
【００８９】
次に、図１３を参照しつつ、スマートフォン４の動作について説明する。図１３は、スマートフォン４による生体信号測定処理の処理手順を示すフローチャートである。なお、本処理は、信号処理ユニット１０４において、所定のタイミングで実行される。
【００９０】
ステップＳ４００では、本体１３の右側面下端部に取り付けられている光電脈波センシング部４４から取得された光電脈波信号が読み込まれる。同様に、ステップＳ４０２において、本体１３の左側面下端部に取り付けられている光電脈波センシング部４３から取得された光電脈波信号が読み込まれる。
【００９１】
次に、ステップＳ４０４では、ステップＳ４００で読み込まれた光電脈波センシング部４４から取得された光電脈波信号の値と、ステップＳ４０２で読み込まれた光電脈波センシング部４３から取得された光電脈波信号の値とが比較される。
【００９２】
続いて、ステップＳ４０６では、ステップＳ４０４での比較結果に基づいて、自機が左手５０２で把持されているか否か（光電脈波センシング部４３から取得された光電脈波信号の値が光電脈波センシング部４４から取得された光電脈波信号の値よりも大きい（あるいは反射量が多い）か否か）についての判断が行われる。ここで、自機が左手５０２で把持されていると判定された場合には、ステップＳ４０８に処理が移行する。一方、自機が左手５０２で把持されていない（すなわち右手５０１で把持されている）と判定されたときには、ステップＳ４１６に処理が移行する。
【００９３】
自機が左手５０２で持たれていると判定された場合、ステップＳ４０８では、左手５０２の親指の手根中手関節５０３を中心とし、該手根中手関節５０３から親指指先までを半径とする仮想円の円弧５１１に沿って複数の操作スイッチ３４が配置されるように、操作スイッチ３４の配置が変更される（図１２参照）。
【００９４】
次に、ステップＳ４１０では、光電脈波センシング部４３から読み込まれた光電脈波信号が異常であるか否かについての判断が行われる。ここで、当該光電脈波信号が正常であると判定された場合には、ステップＳ４１２において当該光電脈波信号が出力された後、本処理から一旦抜ける。一方、当該光電脈波信号が異常であると判定された場合には、ステップＳ４１４において、エラー判定がなされた後、本処理から一旦抜ける。
【００９５】
一方、自機が右手５０１で持たれていると判定された場合、ステップＳ４１６では、右手５０１の親指の手根中手関節５００を中心とし、該手根中手関節５００から親指指先までを半径とする仮想円の円弧５１０に沿って複数の操作スイッチ３３が配置されるように、操作スイッチ３３の配置が変更される（図１１参照）。
【００９６】
続いて、ステップＳ４１８では、光電脈波センシング部４４から読み込まれた光電脈波信号が異常であるか否かについての判断が行われる。ここで、当該光電脈波信号が正常であると判定された場合には、ステップＳ４２０において当該光電脈波信号が出力された後、本処理から一旦抜ける。一方、当該光電脈波信号が異常であると判定された場合には、上述したステップＳ４１４において、エラー判定がなされた後、本処理から一旦抜ける。
【００９７】
本実施形態によれば、自機を把持している手５０１（５０２）の親指の手根中手関節５００（５０３）を中心とし、該手根中手関節５００（５０３）から親指指先までを半径とする仮想円の円弧５１０（５１１）に沿って操作スイッチ３３（３４）が配置、変更される。よって、片手でスマートフォン４を把持しつつ操作を行う場合であっても、親指での操作時に、親指以外の指や手の平が連動して動くことを抑制することができる。よって、スマートフォン４を親指で操作する際の体動に伴って発生する体動ノイズを低減することが可能となる。
【００９８】
以上、本発明の実施の形態について説明したが、本発明は、上記実施形態に限定されるものではなく種々の変形が可能である。例えば、上記実施形態では、複数の操作スイッチ３１，３２，３３，３４をタッチスクリーン２１，２３上に表示する構成としたが、配置可変に構成されたハードウェアスイッチを用いて構成してもよい。また、操作スイッチ３１，３２，３３，３４の形状や数などは上記実施形態には限られない。
【００９９】
なお、ハードウェアスイッチを用いる場合には、配置を変更可能な構成とするのではなく、親指の手根中手関節を中心とし、該手根中手関節から親指指先までを半径とする仮想円の円弧に沿った位置に固定して操作スイッチ３１，３２を配置してもよい。
【０１００】
上記第１実施形態では、操作を行っている手（図２の例では右手５０１）のスイッチ配置を変更したが、いずれか一方の手から光電脈波信号を取得するように設定、例えば、光電脈波センシング部４１のみを取り付けるか、又は、光電脈波センシング部４１から優先的に光電脈波信号を取得するように予め設定するとともに、光電脈波信号の取得が行われていない方の手（この場合には右手５０１）の親指の手根中手関節５００を中心とし、該手根中手関節５００から親指指先までを半径とする仮想円の円弧５１０に沿って複数の操作スイッチ３１が配置されるように、タッチスクリーン２１に表示される操作スイッチ３１の配置を変更する構成としてもよい。なお、この構成に代えて、光電脈波センシング部４２から光電脈波信号を取得するとともに、左手５０２側の操作スイッチの配置を変更する構成としてもよい。
【０１０１】
また、操作スイッチは配置又は表示するが、光電脈波信号を取得している手（図２の例では左手５０２）による操作を受付けないようにしてもよい。さらに、光電脈波信号を取得している手（図２の例では左手５０２）からの操作を受付ける操作スイッチを表示しない（配置しない）構成としてもよい（図２参照）。
【０１０２】
上記第３実施形態では、光電脈波センシング部４１，４２により光電脈波信号が取得される際に、左右それぞれの手５０１，５０２について、手５０１，５０２の親指の手根中手関節５００，５０３を中心とし、該手根中手関節５００，５０３から親指指先までを半径とする仮想円の円弧５１０，５１１に沿って複数の操作スイッチ３１，３２が配置されるように、操作スイッチ３１，３２の配置を変更した。しかしながら、操作スイッチ３１，３２の配置は、必ずしも上述したように変更する必要はない。すなわち、操作スイッチ３１，３２の配置は通常の配置のままで、操作頻度に応じて生体信号の選択を行う構成としてもよい。
【符号の説明】
【０１０３】
１，２，３，４  スマートフォン（携帯機器）
１１，１３  本体
２１，２３  タッチスクリーン
２１ａ，２３ａ  表示部
２１ｂ，２３ｂ  位置検出部
３１，３２，３３，３４  操作スイッチ
４１，４２，４３，４４  光電脈波センシング部（生体センサ）
１０１，１０２，１０３，１０４  信号処理ユニット
１１１，１２２  スイッチ配置変更部
１２１  配置領域設定部
１３１  操作頻度取得部
１３２  生体信号選択部
１４１  把持手判定部
５００，５０３  手根中手関節
【図１】
2012176371.tif 000003
【図２】
2012176371.tif 000004
【図３】
2012176371.tif 000005
【図４】
2012176371.tif 000006
【図５】
2012176371.tif 000007
【図６】
2012176371.tif 000008
【図７】
2012176371.tif 000009
【図８】
2012176371.tif 000010
【図９】
2012176371.tif 000011
【図１０】
2012176371.tif 000012
【図１１】
2012176371.tif 000013
【図１２】
2012176371.tif 000014
【図１３】
2012176371.tif 000015
【国際調査報告】
2012176371.tif 000016
2012176371.tif 000017
2012176371.tif 000018
2012176371.tif 000019